(57)【要約】【課題】帯体の長さを簡便に調整することができるとともに、帯体の長さを調整する部分の厚みを軽減することができる帯体長さ調整具を提供する。【解決手段】帯体２の長さを調整するための帯体長さ調整具１において、所望の大きさにて成る略矩形形状の開口部１６を有する環状部１５と、環状部１５の一端軸１７に連結された保持体部１９とを備え、保持体部１９は、後端２０ａが環状部１５の一端軸１７の上部に連結された第１の保持部２０と、後端２１ａが環状部１５の一端軸１７の下部に連結された第２の保持部２１とを有し、第１の保持部２０の先端２０ｂおよび第２の保持部２１の先端２１ｂは、所望の距離離反されて構成されているものである。【選択図】図１
2009030184.tif 000002
【特許請求の範囲】
【請求項１】
帯体の長さを調整するための帯体長さ調整具において、
所望の大きさにて成る略矩形形状の開口部を有する環状部と、
上記環状部の一端軸に連結された保持体部とを備え、
上記保持体部は、後端が上記環状部の一端軸の上部に連結された第１の保持部と、後端が上記環状部の一端軸の下部に連結された第２の保持部とを有し、
上記第１の保持部の先端および第２の保持部の先端は、所望の距離離反されて構成されていることを特徴とする帯体長さ調整具。
【請求項２】
上記開口部は、上記帯体を長手方向に２重に重ねた重ね部分が貫通可能な大きさにて形成され、
上記保持体部は、上記開口部を貫通した上記帯体の重ね部分を上記環状部の一端軸から折り返した状態にて保持する保持体部を備え、
上記第１の保持部は、上記帯体の重ね部分を幅方向の上部側から保持し、
上記第２の保持部は、上記帯体の重ね部分を幅方向の下部側から保持し、
上記第１の保持部の先端および第２の保持部の先端の離反された距離は、上記帯体の幅の大きさより小さくかつ上記帯体の重ね部分を入出可能な大きさにて構成されていることを特徴とする請求項１に記載の帯体長さ調整具。
【請求項３】
上記環状部の他端軸の中央部は、上記開口部側に突出して構成されていることを特徴とする請求項１または請求項２に記載の帯体長さ調整具。
【請求項４】
上記第１および第２の保持部の離反の幅方向の大きさは、上記帯体の幅の略１／２の大きさにて構成されていることを特徴とする請求項１ないし請求項３のいずれかに記載の帯体長さ調整具。
【請求項５】
上記帯体がゴム織物にて構成されていることを特徴とする請求項１ないし請求項４のいずれかに記載の帯体長さ調整具。
【請求項６】
上記ゴム織物は、上記一方の面が平坦にて成り、かつ、上記他方の面に凸部を備えるか、上記他方の面が平坦にて成り、かつ、上記一方の面に凸部を備えるかのいずれかにて構成され、上記凸部は厚み方向に伸縮するように構成され、上記帯体の凸部の幅方向端辺を上記環状部の他端軸および上記第１および第２の保持部の先端側にて係止することを特徴とする請求項５に記載の帯体長さ調整具。
【請求項７】
上記帯体の一部は環状形状部にて形成され、上記環状形状部の環状内に被締結物が挿通し、
上記環状形状部は上記被締結物が着用する衣類の筒状部に挿入されていることを特徴とする請求項１ないし請求項６のいずれかに記載の帯体長さ調整具。
【発明の詳細な説明】
【技術分野】
【０００１】
この発明は、帯体の長さを簡便に調整することができるとともに、帯体の長さを調整する部分の厚みを軽減することができる帯体長さ調整具に関するものである。
【背景技術】
【０００２】
従来の帯体長さ調整具は、例えばエイト管と一般的に呼ばれている略日の字状にて構成されていた。そして、一方の開口部から帯体を挿入して中央軸上を介して他方の開口部から帯体を挿出する。そして、中央軸上に帯体の凸部を配設し帯体の凸部の幅方向端辺を端軸にて係止することにより、外環状部を構成する帯体の長さを保持して帯体の長さを調整していた（例えば、特許文献１参照）。
【０００３】
【特許文献１】特開２００４−３６００９３号公報
【発明の開示】
【発明が解決しようとする課題】
【０００４】
従来の帯体長さ調整具は、帯体の長さを調整する場合には、帯体の重ね部分を開口部を介して長さを調整する必要があり、手間がかかるという問題点があった。また、端軸上に帯体の重ね部分が配設されるため厚みが厚くなるという問題点があった。
【０００５】
この発明は上記のような課題を解決するためになされたものであり、帯体の長さを簡便に調整することができるとともに、帯体の長さを調整する部分の厚みを軽減することができる帯体長さ調整具を提供することを目的とする。
【課題を解決するための手段】
【０００６】
この発明は、帯体の長さを調整するための帯体長さ調整具において、
所望の大きさにて成る略矩形形状の開口部を有する環状部と、
環状部の一端軸に連結された保持体部とを備え、
保持体部は、後端が環状部の一端軸の上部に連結された第１の保持部と、後端が環状部の一端軸の下部に連結された第２の保持部とを有し、
第１の保持部の先端および第２の保持部の先端は、所望の距離離反されて構成されているものである。
【発明の効果】
【０００７】
この発明の帯体長さ調整具は、帯体の長さを調整するための帯体長さ調整具において、
所望の大きさにて成る略矩形形状の開口部を有する環状部と、
環状部の一端軸に連結された保持体部とを備え、
保持体部は、後端が環状部の一端軸の上部に連結された第１の保持部と、後端が環状部の一端軸の下部に連結された第２の保持部とを有し、
第１の保持部の先端および第２の保持部の先端は、所望の距離離反されて構成されているので、帯体を開口部に貫通させて、保持体部を出し入れすることにより容易に帯体の長さを調整することができ、かつ、第１の保持部の先端および第２の保持部の先端は、所望の距離離反されて構成されているため、この箇所における帯体の厚みを軽減することができる。
【発明を実施するための最良の形態】
【０００８】
実施の形態１．
以下、本願発明の実施の形態について説明する。図１はこの発明の実施の形態１における帯体長さ調整具の構成を示した図、図２は図１の帯体長さ調整具にて使用する帯体の構成を示す図、図３は図１に示した帯体長さ調整具の使用例を示した図、図４は図１に示した帯体長さ調整具を用いた帯体の長さ調整方法について説明する図、図５は図１に示した帯体長さ調整具の使用例を示した図、図６ないし図８はこの発明の実施の形態１における他の帯体長さ調整具の例を示した図である。
【０００９】
図において、帯体長さ調整具１は、帯体２の長さを調整するためのものである。ここで使用する帯体２は例えばゴム織物にて形成されており、図２に示すように、裏面１０が平坦にて成り、表面１１には複数の略矩形形状の凸部１２が、長手方向Ｂに間隔を隔てて複数個存在する。またこの各凸部１２はその帯体１の幅方向Ａの一対の幅方向端辺１３が長手方向Ｂにて平行と成るようにそれぞれ配設されている。また、各凸部１２は厚み方向に伸縮する伸縮性部材にて成る。具体的にここでは、帯体１の幅方向Ａの長さＨ１を２０ｍｍにて成るものを用いている。
【００１０】
そして、帯体長さ調整具１は、所望の大きさにて成る略矩形形状の開口部１６を有する環状部１５と、環状部１５の一端軸１７に連結された保持体部１９とを備えている。この開口部１６の所望の大きさは、例えば、帯体２を長手方向に２重に重ねた重ね部分２ａが貫通可能な大きさにて形成されている。具体的にはここでは、帯体長さ調整具１の幅方向Ａの長さｈ１は２４ｍｍで形成されている。また、開口部１６の幅方向Ａの長さｈ２は帯体１の長さＨ１と同一の２０ｍｍにて形成されている。また、開口部１６の長手方向Ｂの長さｈ４は３ｍｍにて形成されている。また、帯体長さ調整具１の厚みｈ６は２ｍｍにて形成されている。また、保持体部１９は、後端２０ａが環状部１５の一端軸１７の上部に連結された第１の保持部２０と、後端２１ａが環状部１５の一端軸１７の下部に連結された第２の保持部２１とを有し、第１の保持部２０の先端２０ｂおよび第２の保持部２１の先端２１ｂは、所望の距離離反されて構成されている。
【００１１】
この保持体部１９は、開口部１６を貫通した帯体２の重ね部分２ａを環状部１５の一端軸１７から折り返した状態にて保持する。そしてこのことは、第１の保持部２０が、帯体２の重ね部分２ａを幅方向Ａの上部側２ｂから保持し、かつ、第２の保持部２１が、帯体２の重ね部分２ａを幅方向Ａの下部側２ｃから保持することにより可能となる。また、第１の保持部２０の先端２０ｂおよび第２の保持部２１の先端２１ｂの離反された距離は、帯体２の幅の長さＨ１より小さくかつ帯体２の重ね部分２ａを入出可能な大きさにて構成されており、さらに具体的には、帯体２の幅の長さＨ１の略１／２の大きさにて構成されている。また、環状部１５の他端軸１８の中央部は、開口部１６側に突出するように中央部に向かって湾曲するように構成されている。具体的にはここでは、帯体長さ調整具１の幅方向の長さｈ３は帯体２の長さＨ１の略１／２である１０ｍｍにて形成されている。また、第１および第２の保持部２０、２１と一端軸１７との長手方向Ｂの長さｈ５は３ｍｍにて形成されている。また、他端軸１８の中央部の突出されて一番狭い箇所の長手方向Ｂの長さは２．８ｍｍにて形成されている。
【００１２】
次に上記のように構成された実施の形態１の帯体長さ調整具の使用方法について説明する。帯体２の端部２ｅを縫い合わせることにより環状形状部２ｄを形成している。そして、その帯体２の一部を、長手方向に２重に重ねた重ね部分２ａを形成する。そして、その重ね部分２ａを帯体長さ調整具１の環状部１５の開口部１６から挿入する（図４（ａ）、（ｂ））。そして、重ね部分２ａを環状部１５の一端軸１７から折り返した状態にて保持体部１９に保持するために、第１および第２の保持部２０、２１の離反箇所から帯体２の重ね部分２ａを挿入させ、第１の保持部２０にて帯体２の重ね部分２ａの幅方向Ａの上部側２ｂから保持させ、第２の保持部２１にて帯体２の重ね部分２ａを幅方向Ａの下部側２ｃから保持させる（図４（ｃ）、（ｄ）、図３）。そして、帯体２の凸部１２の幅方向端辺１３は環状部１５の他端軸１８および第１および第２の保持部２０、２１の先端２０ｂ、２１ｂ側にて係止される。
【００１３】
また、帯体２の長さを調整したい場合には、第１および第２の保持部２０、２１の離反箇所から帯体２の重ね部分２ａを挿出する（図４（ａ）、（ｄ））。そして、帯体２の重ね部分２ａの長さを、短くしたり長くしたりするなどして、環状形状部２ｄの長さを調整する。そして、再び、重ね部分２ａを環状部１５の一端軸１７から折り返した状態にて保持体部１９に保持するために、第１および第２の保持部２０、２１の離反箇所から帯体２の重ね部分２ａを挿入させ、第１の保持部２０にて帯体２の重ね部分２ａの幅方向Ａの上部側２ｂから保持させ、第２の保持部２１にて帯体２の重ね部分２ａを幅方向Ａの下部側２ｃから保持させる（図４（ｃ）、（ｄ）、図３）。
【００１４】
そして、具体的な使用例としては、図５に示すように、この環状形状部２ｄの環状内に被締結物としての例えば人間のウエストが挿通され、環状形状部２ｄは被締結物である人間のウエストが着用する衣類２６の筒状部２７に挿入されている。このように形成すれば容易にウエストの帯体２の長さを調整することができ、この帯体長さ調整具１による厚みを軽減して装着性を向上することができる。
【００１５】
上記のように構成された実施の形態１の帯体長さ調整具によれば、環状部に帯体を貫通させ、保持体部にて保持し、また、長さの調整においては、保持体部の第１および第２の保持部の離反箇所から帯体を抜き出すだけで容易に帯体の長さを調整することができる。また、保持体部の第１および第２の保持部の離反箇所が存在するため、その箇所における帯体の厚みを軽減することができる。また、環状部の他端軸の中央部が、開口部側に突出して形成されているため、他端軸の突出において、帯体の厚みを圧縮することができ、その部分の帯体の厚みを軽減することができる。
【００１６】
また、第１および第２の保持部の離反の幅方向の大きさは、帯体の幅の略１／２の大きさにて構成しているため、帯体の長手方向に引っ張りの力が生じても、保持体部から帯体が容易に外れたりすることなく保持することが可能となり、帯体の長さを調整する際に、帯体を第１および第２の保持部の離反箇所から挿入および抜き出す操作も容易に行うことが可能となり、上記にて示した帯体の厚みを軽減する効果も十分に得ることができる。但し、帯体２の保持をより一層強固に行うことのみを考慮に入れれば、第１および第２の保持部の離反の幅方向の大きさは、帯体の幅の１／２より小さくすればよいことは言うまでもない。
【００１７】
また、帯体がゴム織物にて構成されているため、ゴム織物は厚み方向の圧縮において容易に変形することが可能なため、上記にて示した帯体長さ調整具による帯体の厚みの圧縮による効果をより一層顕著に得ることができる。また、表面に凸部が形成された帯体の長さ調整に使用することにより、このような帯体の長さを調整する部分の厚みの軽減において、通常の平坦な帯体の場合よりより一層厚み軽減の効果を顕著に得ることができる。また、このような帯体長さ調整具により長さを調整することができる帯体の環状形状部が衣類の筒状部挿入され、長さを調整することにより、容易に長さ調整を行うことができ、さらに、帯体の長さを調整する部分の厚みを軽減することできるため、使用者の操作性および試着性を向上することができる。
【００１８】
上記実施の形態１においては、他端軸１８を、中央部が開口部１６側に突出するように湾曲して構成する例を示したが、これに限られることはなく、例えば、図６に示すように、他端軸１８０を開口部１６側に突出することなくまっすぐな垂直の形状にて帯体長さ調整具１００を形成してもよい。その場合は、上記実施の形態１の他端軸の中央部が開口部側に突出することによる効果以外は同様の効果を奏することができる。
【００１９】
また、上記実施の形態１においては、一端軸１７を平坦状態にて形成する例を示したが、これに限られることはなく、例えば、図７に示すように、一端軸１７０を下方側に湾曲させて構成する帯体長さ調整具１０１としてもよい。このように構成すれば、上記実施の形態１と同様の効果を奏することができることは言うまでのなく、一端軸１７０上を通過する帯体２の厚みによる突出を、下方側に湾曲している分軽減することができる。
【００２０】
また、上記実施の形態１においては、第１および第２の保持部２０、２１の先端２０ｂ、２１ｂをまっすぐな垂直に形成する例を示したが、これに限られることはなく、例えば、図８に示すように、第１および第２の保持部２０、２１の先端２０ｃ、２１ｃを環状部１５側に傾くように構成する帯体長さ調整具１０２としてもよい。このように構成すれば、上記実施の形態１と同様の効果を奏することができることは言うまでのなく、第１および第２の保持部２０、２１の先端２０ｃ、２１ｃを環状部１５側に傾くように構成しているため、帯体２の保持をより一層強固に行うことができる。
【００２１】
尚、上記実施の形態１においては、凸部の存在する帯体を用いる例を示したが、これに限られることはなく凸部の存在しない通常の平坦な帯体でも同様に行うことができ、同様な効果を得ることができる。また、ゴム織物でない帯体、例えば鞄などに使用するベルトのような帯体であっても同様に長さを調整することができることは言うまでもない。また、環状部の他端軸の中央部を湾曲させて構成することにより、開口部側に突出する例を示しているが、これに限られることはなく、他端軸の中央部に開口部側に突出する突出部を形成するようにしてもよい。但し、湾曲形状にて形成する方が帯体の厚み方向の軽減の効果が優れている。
【図面の簡単な説明】
【００２２】
【図１】この発明の実施の形態１の帯体長さ調整具の構成を示す図である。
【図２】図１の帯体長さ調整具にて使用する帯体の構成を示す図である。
【図３】図１に示した帯体長さ調整具の使用例を示した図である。
【図４】図１に示した帯体長さ調整具を用いた帯体の長さ調整方法について説明する図である。
【図５】図１に示した帯体長さ調整具の使用例を示した図である。
【図６】この発明の実施の形態１における他の帯体長さ調整具の例を示した図である。
【図７】この発明の実施の形態１における他の帯体長さ調整具の例を示した図である。
【図８】この発明の実施の形態１における他の帯体長さ調整具の例を示した図である。
【符号の説明】
【００２３】
１，１００，１０１，１０２  帯体長さ調整具、２  帯体、２ａ  重ね部分、
２ｂ  上部側、２ｃ  下部側、２ｄ  環状形状部、１０  裏面、１１  表面、
１２  凸部、Ｂ  長手方向、Ａ  幅方向、１３  幅方向端辺、１５  環状部、
１６  開口部、１７，１７０  一端軸、１８，１８０  他端軸、１９  保持体部、
２０  第１の保持部、２０ａ，２１ａ  後端、２０ｂ，２０ｃ，２１ｂ，２１ｃ  先端、２１  第２の保持部。
【図１】
2009030184.tif 000003
【図２】
2009030184.tif 000004
【図３】
2009030184.tif 000005
【図４】
2009030184.tif 000006
【図５】
2009030184.tif 000007
【図６】
2009030184.tif 000008
【図７】
2009030184.tif 000009
【図８】
2009030184.tif 000010